【手続補正書】
【提出日】平成16年1月20日(2004.1.20)
【手続補正１】
【補正対象書類名】明細書
【補正対象項目名】０００２
【補正方法】変更
【補正の内容】
【０００２】
【従来の技術】
図６は従来の導波管スロットアレイアンテナを示す図である。図において１は放射スロット、２は放射用方形導波管、３は放射用方形導波管２へ電力を供給する給電スロット、４は給電用方形導波管、５ａ，５ｂ，５ｃ，５ｄはアレイを構成するサブアレイ、６ａおよび６ｂは放射用方形導波管の管軸方向のサブアレイとサブアレイの間の管壁である。


【手続補正２】
【補正対象書類名】明細書
【補正対象項目名】０００４
【補正方法】変更
【補正の内容】
【０００４】
放射スロットと放射スロットの間隔Ｗはひとつの放射用方形導波管２内では１／２管内波長と等間隔であるが、放射用方形導波管の管軸方向のサブアレイ５ａとサブアレイ５ｂおよびサブアレイ５ｃとサブアレイ５ｄの接合部の両側においては、導波管の管壁６ａ，６ｂの厚みｔだけスロットの配列間隔が大きくなり、図７に示すように周期性によるサイドローブの上昇が生じていた。


【手続補正３】
【補正対象書類名】明細書
【補正対象項目名】００１１
【補正方法】変更
【補正の内容】
【００１１】
【発明の実施の形態】
実施の形態１．
図１はこの発明の実施の形態１を示す導波管スロットアレイアンテナである。図中符号は図６と同じである。


【手続補正４】
【補正対象書類名】明細書
【補正対象項目名】００１２
【補正方法】変更
【補正の内容】
【００１２】
次に動作について説明する。給電用方形導波管４から電磁波が入力され、放射スロット１から電磁波が放射される動作については従来例と同じである。図１においては、導波管スロットアレイアンテナのサブアレイ５ａ，５ｂ，５ｃ，５ｄを導波管の管軸方向にずらして配置することにより、放射用方形導波管の管軸方向のスロットの配列の周期性が緩和され、サイドローブを低減することが可能である。


【手続補正５】
【補正対象書類名】明細書
【補正対象項目名】００１３
【補正方法】変更
【補正の内容】
【００１３】
実施の形態２．
図２はこの発明の実施の形態２を示す導波管スロットアレイアンテナである。図中符号は図６と同じである。


【手続補正６】
【補正対象書類名】明細書
【補正対象項目名】００１４
【補正方法】変更
【補正の内容】
【００１４】
次に動作について説明する。給電用方形導波管４から電磁波が入力され、放射スロット１から電磁波が放射される動作については従来例と同じである。図２においては、導波管スロットアレイアンテナのサブアレイ５ａ，５ｂ，５ｃ，５ｄを導波管の管軸方向に１／２管内波長の整数倍ずらして配置することにより、放射用方形導波管の管軸方向のスロットの配列の周期性が緩和され、サイドローブを低減することが可能である。また、１／２管内波長の整数倍ずらして配列することにより、給電スロットと給電用方形導波管の位置は変更する必要がなく従来と同じ給電スロットおよび給電用方形導波管が使用できるため、給電回路の設計が容易である。


【手続補正７】
【補正対象書類名】明細書
【補正対象項目名】００１５
【補正方法】変更
【補正の内容】
【００１５】
実施の形態３．
図３はこの発明の実施の形態３を示す導波管スロットアレイアンテナである。図中符号は図６と同じである。


【手続補正８】
【補正対象書類名】明細書
【補正対象項目名】００１６
【補正方法】変更
【補正の内容】
【００１６】
次に動作ついて説明する。給電用方形導波管４から電磁波が入力され、放射スロット１から電磁波が放射される動作については従来例と同じである。図３においては、導波管スロットアレイアンテナのひとつの放射用方形導波管２に配置するスロット数を例えばサブアレイ５ａ，５ｂでは７素子、５ｃでは６素子、５ｄでは８素子と変化させて構成することにより、導波管の管軸方向のサブアレイ５ａとサブアレイ５ｂおよびサブアレイ５ａとサブアレイ５ｂの間の導波管の管壁６ａ，６ｂが同一線上に並ばないようにサブアレイを配列することにより、放射用方形導波管の管軸方向のスロットの配列の周期性が緩和され、サイドローブを低減することが可能である。また、給電スロットと給電用方形導波管の位置は変更する必要がなく従来と同じ給電スロットおよび給電用方形導波管が使用できるため、給電回路の設計が容易である。また、外形形状が従来例と同じであるため、アンテナの取り付け法も従来例と同じ方法とすることが可能である。


【手続補正９】
【補正対象書類名】明細書
【補正対象項目名】００１７
【補正方法】変更
【補正の内容】
【００１７】
実施の形態４．
図４はこの発明の実施の形態４を示す導波管スロットアレイアンテナである。図中符号は図６と同じである。


【手続補正１０】
【補正対象書類名】明細書
【補正対象項目名】００１８
【補正方法】変更
【補正の内容】
【００１８】
次に動作について説明する。給電用方形導波管４から電磁波が入力され、放射スロット１から電磁波が放射される動作については従来例と同じである。図４においては、放射用方形導波管を導波管の管軸方向にずらして配置し、ひとつのサブアレイを構成し、上記サブアレイを平面状に多数配列することにより、放射用方形導波管の管軸方向のスロットの配列の周期性が緩和され、サイドローブを低減することが可能である。


【手続補正１１】
【補正対象書類名】明細書
【補正対象項目名】００１９
【補正方法】変更
【補正の内容】
【００１９】
実施の形態５．
図５はこの発明の実施の形態５を示す導波管スロットアレイアンテナである。図中符号は図６と同じである。


【手続補正１２】
【補正対象書類名】明細書
【補正対象項目名】００２０
【補正方法】変更
【補正の内容】
【００２０】
次に動作について説明する。給電用方形導波管４から電磁波が入力され、放射スロット１から電磁波が放射される動作については従来例と同じである。図５においては、放射用方形導波管を導波管の管軸方向に１／２管内波長の整数倍ずらして配置し、ひとつのサブアレイを構成し、上記サブアレイを平面状に多数配列することにより、放射用方形導波管の管軸方向のスロットの配列の周期性が緩和され、サイドローブを低減することが可能である。また、放射用方形導波管を導波管の管軸方向に１／２管内波長の整数倍ずらして配置することにより、給電スロットと給電用方形導波管の位置は変更する必要がなく従来と同じ給電スロットおよび給電用方形導波管が使用できるため、給電回路の設計が容易である。


【手続補正１３】
【補正対象書類名】明細書
【補正対象項目名】図面の簡単な説明
【補正方法】変更
【補正の内容】
【図面の簡単な説明】
【図１】この発明の実施の形態１に係る導波管スロットアレイアンテナを示す図である。
【図２】  この発明の実施の形態２に係る導波管スロットアレイアンテナを示す図である。
【図３】  この発明の実施の形態３に係る導波管スロットアレイアンテナを示す図である。
【図４】  この発明の実施の形態４に係る導波管スロットアレイアンテナを示す図である。
【図５】  この発明の実施の形態５に係る導波管スロットアレイアンテナを示す図である。
【図６】  従来の導波管スロットアレイアンテナを示す図である。
【図７】  従来の導波管スロットアレイアンテナの放射パターンを示す図である。


【手続補正１４】
【補正対象書類名】図面
【補正対象項目名】全図
【補正方法】変更
【補正の内容】
【図１】
2000236213.tif 000001
【図２】
2000236213.tif 000002
【図３】
2000236213.tif 000003
【図４】
2000236213.tif 000004
【図５】
2000236213.tif 000005
【図６】
2000236213.tif 000006
【図７】
2000236213.tif 000007